(57)【要約】【課題】本発明は組立分解容易で二方、三方及び四方開閉形の獣捕獲に適した檻１４を提供することを目的とする。【解決手段】上下水平方形枠１，１’のそれぞれ４隅の水平杆直交部に上下方向対向短管２，２’を介設し、各短管２，２’の内側にそれぞれ上記短管２，２’より長い上下方向対向ピン３，３’を溶着し、上下方向対向ピン３，３’に支柱管４の上下端部を着脱自在に嵌合して上下水平方形枠１，１’の４隅を該支柱管４で接続し、上下方向対向短管２，２’に丸鋼又は鋼管による長柱５を挿通して、これを上部水平方形枠１の上方に延長５’し、上下水平方形枠１，１’の各辺の外側に方形側枠６，６’を配置し、該側枠６，６’の左右両縦杆７，７’の上下部に長柱５に摺動自在に嵌合する環８，８’を設けて上記各側枠６，６’をそれぞれ上記長柱５に沿って昇降自在に支持し、上記枠１，６，６’内に格子９を張設してなる捕獣用檻。【選択図】　図１
2004121059.tif 000002
【特許請求の範囲】
【請求項１】
上下水平方形枠のそれぞれ４隅の水平杆直交部に上下方向対向短管を介設し、各短管の内側にそれぞれ上記短管より長い上下方向対向ピンを溶着し、上下方向対向ピンに支柱管の上下端部を着脱自在に嵌合して上下水平方形枠の４隅を該支柱管で接続し、
上下方向対向短管に丸鋼又は鋼管による長柱を挿通して、これを上部水平方形枠の上方に延長し、
上下水平方形枠の各辺の外側に方形側枠を配置し、該側枠の左右両縦杆の上下部に長柱に摺動自在に嵌合する環を設けて上記各側枠をそれぞれ上記長柱に沿って昇降自在に支持し、
上記枠内に格子を張設してなる捕獣用檻。
【請求項２】
他方の上記縦杆による他方の方形側枠及びこれに対向する方形側枠のそれぞれ下縁を、直立軸に遊支した水平方向遊動ピンで支持し、該直立軸の下部を水平連杆の両端屈曲部に接続し、該連杆が進入獣によって中心線の回りに回動する罠装置を備えてなる請求項１記載の捕獣用檻。
【発明の詳細な説明】
【０００１】
【発明の属する技術分野】
本発明は罠で捕獲した猪その他の害獣を収容する檻に関するものである。
【０００２】
【従来の技術】
従来、猪、猿、鹿、熊、鳥その他の大小害獣鳥を捕獲する２方開閉式檻形罠が実用化されている。
【０００３】
ところで２方開閉式のものはトンネル状であり、両側を格子枠で閉塞しているため進入する上記害獣鳥類は警戒するため、捕獲率が低く檻の大きさよりも比較的小さい動物が捕獲された（例えば特許文献１，２，３，４，５）。
【０００４】
上記欠陥を解決するため２重円筒形格子罠を固定支柱の上方に上昇させ四方から中央可動底板上に動物が進入した時点で２重円筒形格子罠を落下させる捕獲用檻が開発された。
【０００５】
四方から動物は進入し易いが中央固定支柱や可動底板を支持するベース部材を要しポータブルで簡便に現場組立分解が困難であるという欠陥がある（例えば特許文献６）。
【０００６】
さらに４個の固定柱に四方に格子枠を設け、四方の格子枠を一度に閉鎖する動物捕獲用檻が開発されているが、２対の対向格子枠にそれぞれ開口支持装置を設け、機構が複雑で重量大であり、組立分解及び搬出入し難く、かつ檻内の中央部に常設動作柱を有するため、これが動物の目に障るため警戒心を与え易いという問題があり、昇降踏板及び常設動作柱があり檻として利用し難いという問題があった（例えば特許文献７）。
【０００７】
【特許文献１】
特開２００１−２７５５４５号（図１）
【特許文献２】
特開２００１−１２８６１０号（図１、図２）
【特許文献３】
特開２００１−３７４００号（図１、図２）
【特許文献４】
特開２０００−３３３５８６号（図１（ａ）（ｂ）（ｃ）図）
【特許文献５】
特開平１０−２１５７５２号（図１、図２）
【特許文献６】
特開平８−５６５５０号（請求項１、第３頁第３欄３９〜４６行目）
【特許文献７】
特開平８−５６５４９号（第５頁第８欄１３〜２４行目、図１、図４）
【０００８】
【発明が解決しようとする課題】
本発明は一方〜四方から動物の進入が可能で、動物が進入した直後に格子枠が落下して檻を形成し、そのまま檻として利用でき、かつ分解組立容易な捕獣用檻を得ることを目的とする。
【０００９】
【課題を解決するための手段】
上記の目的を達成するため本発明は
第１に上下水平方形枠のそれぞれ４隅の水平杆直交部に上下方向対向短管を介設し、各短管の内側にそれぞれ上記短管より長い上下方向対向ピンを溶着し、上下方向対向ピンに支柱管の上下端部を着脱自在に嵌合して上下水平方形枠の４隅を該支柱管で接続し、上下方向対向短管に丸鋼又は鋼管による長柱を挿通して、これを上部水平方形枠の上方に延長し、上下水平方形枠の各辺の外側に方形側枠を配置し、該側枠の左右両縦杆の上下部に長柱に摺動自在に嵌合する環を設けて上記各側枠をそれぞれ上記長柱に沿って昇降自在に支持し、上記枠内に格子を張設してなる捕獣用檻、
第２に他方の上記縦杆による他方の方形側枠及びこれに対向する方形側枠のそれぞれ下縁を、直立軸に遊支した水平方向遊動ピンで支持し、該直立軸の下部を水平連杆の両端屈曲部に接続し、該連杆が進入獣によって中心線の回りに回動する罠装置を備えてなる上記第１発明に記載の捕獣用檻、
によって構成される。
【００１０】
【発明の実施の形態】
４個のアングル形鋼杆を水平に直交させ、４隅の直交部にそれぞれ上下方向短管２，２’を介在させて溶着固定し、上下に対向する水平方形枠１，１’を形成する。
【００１１】
上下に対向する水平方形枠１，１’は互いに相似する正方形又は長方形枠であり、上下の上記短管２，２’は各４隅においてそれぞれ中心線Ｃを共有する。
【００１２】
上下の各短管２，２’の長さ（高さｔ）は下部短管２を６０ｍｍ、上部短管２’を３０ｍｍとし、下部短管２の高さｔを上部短管２’の２倍とし、その内側にはそれぞれその高さｔよりも長い（高い）上下方向対向ピン３，３’を共通中心線ｃ上に溶着し上下対向配設する。
【００１３】
上記上下方向対向ピン３，３’には同長の支柱管４の上下端部を着脱自在に嵌合し、上下水平方形枠１，１’を支柱管４の高さに隔離し４個の支柱管４，４，４，４によってその高さを保持し、
該方形枠１，１’内にはそれぞれ鋼線を縦横に交差し又は並行に並べた格子９を張設して四阿状（図３）に地面に形成する。
【００１４】
中心線Ｃを共有する短管２，２’にはそれぞれ丸鋼又は鋼管による長柱５，５，５，５を嵌挿し、その下端は下部短管２に設けた底板、地盤又は支持石片等によって支持され、上端は図１に示すように上部短管２’の上方に延長５’する。
【００１５】
上下の上記方形枠１，１’のそれぞれ各辺のアングル形鋼杆１”，１”，１”，１”の外側にはそれぞれ方形側枠６，６’を垂直面に沿って配置する。下部短管２の高さｔを上部短管２’より高く（２倍、６０ｍｍ）とすることにより、上記アングル形鋼杆１”と側枠６，６’の下縁とによる足を挟むおそれがない。
【００１６】
この方形側枠６，６’も４個のアングル形鋼杆を方形に配置し接続部を溶着してなり、左右両縦方向鋼杆（左右両縦杆）７，７’の上下部に環８，８’を溶着して設け、これを上記長柱５に摺動自在に嵌合し、上記各側枠６，６’，６，６’をそれぞれ上記長柱５，５，５，５に沿って昇降自在に支持する。
【００１７】
上記各側枠６，６’にもそれぞれ上記格子９を張設する。
【００１８】
上記長柱５を介して、その左右に隣接する上記縦杆７，７’のそれぞれの上下部の環８，８’のそれぞれ間隔ｈ，Ｈを左右同一に形成する。
【００１９】
上記側枠６，６’を下降させた状態では、上下部それぞれの上記左右の環８，８，８’，８’相互が上下に重合し、かつ上記短管２，２’上に重合する。その状態で上下水平方形枠１，１’の四方は上記側枠６，６’によって閉鎖され、手動で上昇させて上記四方を開放することができ、四方開閉自在の檻１４を形成する。
【００２０】
一方（右方）の側枠６’の開放状態を一時的に維持するためには図５に示す預け具１５を用いる。
【００２１】
この預け具１５は上部水平方形枠１のアングル形鋼杆１”に門形金具１６をボルト１７、ナット１７’で支持し、該金具１６に発条１８の力で外側に進出するボルト１９を設け、該ボルト１９の先端ストッパ１９’で一方の側枠６’のそれぞれ格子９の中央部に固定した縦杆２０の下端を支持し、一方（右方）の側枠６’を仮支持することができる。
【００２２】
又図４に示すように長柱５を介して左右に隣接する上記縦杆７，７’の上端部に設けた右方（一方）の環８の上端が右方（一方）の縦杆７’の上縁と同一水準に形成し、
左方（他方）の環８の上端が左方（他方）の縦杆７の上縁よりも上記右方の環８の高さだけ下方に左方の縦杆７に設けられ、
さらに上記縦杆７，７’の下端部において左方（他方）の環８’の下端が左方の縦杆７の下縁と同一水準であって、右方（一方）の環８の下端が右方の縦杆７’の下縁よりも左方の環８の高さだけ上方に右方の縦杆７’に設けられることによって左右の上記側枠６，６’の上下縁をぞれぞれ同一水準に支持することができる（図４にその状態を示す）。
【００２３】
従って左方（他方）の縦杆７に設けた左方の環８によって右方（一方）の環８を介して右方の縦杆７’を支持することができる。
【００２４】
図４に示すように先ず長柱５，５に沿って上昇させた一方（右方）の側枠６’及びそれに対向する側枠６’を上記預け具１５のストッパ１９’によって仮支持し、
次の他方（左方）の側枠６及びそれに対向する側枠６を手動で図４実線で示す位置に上昇させて上下部の環８，８及び８’，８’を重合させて上下水平方形枠１，１’の四方を開放することができる。
【００２５】
その状態において、他方（左方）の上記縦杆７による他方の方形側枠６の下縁と、これに対向する方形側枠６の下縁とを罠装置１３で支持し、その状態で上記預け具１５，１５を上部水平方形枠１の両側のアングル形鋼杆から分離し、又は発条１８に抗してボルト１９を回動しナット１９”との螺合により図５実線位置から仮想線位置に移動させてストッパ１９’を格子９に設けた縦杆２０の下端から分離する。
【００２６】
上記分離によって罠装置１３によって開放状態に支持されている他方（左方）の側枠６及びこれに対向する側枠６の他方の環８，８’に上記一方（右方）の環８，８’が支持されて四方の側枠６，６，６’，６’は図４、図６に示すように開放状態に保持される。
【００２７】
又図１、図４に示される左右の側枠６，６’における左右の環８，８及び８’，８’の重合関係において、図７に示すように右方の側枠６’，６’の下縁を罠装置１３で支持することにより、左方の側枠６及びこれに対向する側枠６を下降させることができ、右方の側枠６’及びこれに対向する側枠６’を上昇支持して二方開口檻１４を形成することができるし、罠装置１３の水平方向遊動ピン１１，１１の一方１１を手動で水平連杆１２と直交させることによって１個の側枠６’を下降させ三方閉鎖一方開放檻１４とすることができる。
【００２８】
さらに図８に示すように組立てる前に予め右方（一方）の側枠６’を上下反転して該側枠６’の下方に配置された環８’を下部水平方形枠１’の上記短管２に接し、上方の環８を左方（他方）の短管２’の上に配置することによって、四方の上記側枠６，６’中の１個の側枠６’のみ下降閉鎖し三方の側枠６，６’，６を開放させることができる。
【００２９】
罠装置１３は上部水平方形枠１の格子９に懸垂したＶ字形懸垂具２１，２１に丸鋼による水平連杆１２を架載し、その両端を水平方向に直角に屈曲１２’，１２’し、屈曲端に直立軸１０，１０を直立し、該直立軸１０，１０に水平方向遊動ピン１１，１１の基部小環１１’，１１’を遊動自在に支持し、該ピン１１，１１に他方（左方）の上記縦杆７による他方（左方）の方形側枠６及びこれに対向する方形側枠６のそれぞれ下縁を支持する。
【００３０】
水平連杆１２の中程には水平直交腕２２を上記屈曲部１２’の方向（図９）又は逆方向（図１０）に突設し、上記ピン１１，１１に掛っている側枠６，６の重量を図９では上下分割頬杖２３，２３’で支持し、かつ下部頬杖２３’に鳥の止まり枝２３”を設け、図１０では下部水平方形枠１’の格子９に門形金具２４の下端フック２４’，２４’を引掛け、該門形金具２４の中程に上記腕２２に結着懸垂した釣糸（テグス２５）の下端に短棒２６の上端部分を結着し、該結着部の上部を門形金具２４の中程に引掛け、門形金具２４の両脚２４”，２４”に掛渡した横杆２７を上記短棒２６の下部で両脚２４”，２４”に押圧支持し、該横杆２７に踏板２８の先端部を載置して罠装置１３を形成する。
【００３１】
従って図６では四方から図７では二方から図８では三方から檻１４内に獣又は鳥が進入する。
【００３２】
進入した獣又は鳥が図６における頬杖２３，２３’や止り枝２３”に触れ又は止ることによって頬杖２３，２３は分割崩壊し、上下の頬杖２３，２３’は互いに倒壊するため、水平直交腕２２を支えるものが無くなり、上記ピン１１，１１に支持されている側枠６，６の重量によって水平直交腕２２は水平連杆１２の中心線ｃを中心に下方（図９）又は上方（図１０）に回動し、先端の直立軸１０，１０も水平に回動するため、これに遊支された上記遊動ピン１１，１１は水平となった直立軸１０のまわりに水平面内を回動して上記側枠６，６の重量を支えられないため他方（左方）の側枠６及びこれと対向する側枠６は瞬時に落下し、これに伴って一方（右方）の側枠６’，６’も同時に落下し檻１４の四方（図６）、二方（図７）及び三方（図８）を閉鎖し、結局檻１４は四方が閉塞される。
【００３３】
又図１０では進入した獣や鳥がテグス２５、門形金具２４、短棒２６、横杆２７に触れ、又は踏板２８を踏むことによってテグス２５及び短棒２６を門形金具２４から遊離し、それによって上記腕２２の下方牽引力を失うから水平連杆１２は屈曲部１２’，１２’の方向（図１０）に回転し、直立軸１０を水平方向に遊転させるから上記遊動ピン１１，１１は支持力を失って下方に回動し、他方（左方）の側枠６及びこれに対向する側枠６を落下し、
それに伴って一方（右方）の側枠６’，６’も共に落下し檻１４の四方は瞬時に落下閉塞され捕獲獣又は鳥は檻１４内に収檻される。
【００３４】
檻１４の組立てに際しては図３に示すように上下水平方形枠１，１’の４隅に設けた上下方向対向ピン３，３’に支柱管４のぞれぞれ上下端部を嵌合させることによって四阿状の側面開放体を形成する。
【００３５】
その後四隅の上下方向対向短管２，２’にそれぞれ長柱５を挿通するに際し、四個の方形側枠６，６’にそれぞれ設けた上下の環８，８’を図１に示すように摺動自在に嵌合し、他方（左方）の環８，８’の上に一方（右方）の環８，８’をそれぞれ重合させる（乗せる）。
【００３６】
勿論、上部水平方形枠１の対角線上にある長柱５，５の延長部５’，５’の上端に着脱自在に嵌合した交差水平連結杆２９，２９の両端下向屈曲部２９’，２９’を長柱５，５の上端開口部５”，５”から引抜いて分離して、該長柱５，５を上記環８，８’及び短管２，２’に着脱自在に嵌合させる。
【００３７】
この状態では図１に示すように他方（左方）の方形側枠６，６によって一方（右方）の方形側枠６’，６’の重量は長柱５，５に沿って支持され、図４、図６に示すように左方の方形側枠６，６を昇降させることによって四方の該側枠６，６’を開閉し、右方の方形側枠６’，６’のみを昇降させることによって図７に示すように二方の側枠６’，６’を開閉することができる。
【００３８】
又図８に示すように一方（右方）の方形側枠６’のみを下降して一方のみを閉塞し、他の三方の方形側枠６，６’，６を上昇させて三方を開放することができる。その際一方（右方）の上記側枠６’の下端縁は下部水平方形枠１’の一方のアングル鋼杆に接するが、他方（左方）の方形側枠６と、これに対向する方形側枠６及び上記一方（右方）の側枠６’の下端縁は落下した際図８仮想線で示すようにそれぞれ下部水平方形枠１’の他の三方のアングル鋼枠との間に若干の間隙ｔ’を介して該三方も上記一方と同時に閉鎖することができる。
【００３９】
上述のように組立てた檻１４は組立てと逆の順序によって分解し搬出することができる。勿論獣又は鳥を捕獲した檻１４はそのまま搬出し、所定位置に捕獲獣又は鳥の檻１４としてそのまま利用する。
【００４０】
【発明の効果】
本発明は上述のように構成したので組立分解容易な檻を形成し、
かつ該檻をそのまま四方開放罠、三方開放罠又は二方開放罠さらに一方開放罠として利用し得て獣や鳥を捕獲し易く、
かつ罠として利用した後は捕獲獣又は鳥の檻としてそのまま用い得る効果がある。
【図面の簡単な説明】
【図１】本発明の檻の開放状態正面図である。
【図２】図１Ａ−Ａ線による平面図である。
【図３】上下水平方形枠の組立状態斜視図である。
【図４】四方開放状態の罠の正面図である。
【図５】預り具の拡大縦断面図である。
【図６】罠を仕掛けた状態の四方開放斜視図である。
【図７】罠を仕掛けた状態の二方開放斜視図である。
【図８】罠を仕掛けた状態の三方開放斜視図である。
【図９】上下分割頬杖罠の斜視図である。
【図１０】テグスを用いた罠の斜視図である。
【符号の説明】
１，１’　上下水平方形枠
１”　　アングル形鋼杆
２，２’　上下方向対向短管
３，３’　上下方向対向ピン
４　　　支柱管
５　　　長柱
５’　　延長部
６，６’　方形側枠
７，７’　左右両縦杆
８，８’　環
９　　　格子
Ｈ，ｈ　間隔
１０　　　直立軸
１１　　　水平方向遊動ピン
１２　　　水平連杆
１２’　　両端屈曲部
ｃ　　　中心線
１３　　　罠装置
【図１】
2004121059.tif 000003
【図２】
2004121059.tif 000004
【図３】
2004121059.tif 000005
【図４】
2004121059.tif 000006
【図５】
2004121059.tif 000007
【図６】
2004121059.tif 000008
【図７】
2004121059.tif 000009
【図８】
2004121059.tif 000010
【図９】
2004121059.tif 000011
【図１０】
2004121059.tif 000012